【事件の表示】
　特願２００９−　　８５５９「デジタル放送受信装置及びデジタル放送受信方法」拒絶査定不服審判事件〔平成２１年　４月１６日出願公開、特開２００９−　８１８９２〕について、次のとおり審決する。
【結　論】
　本件審判の請求は、成り立たない。
【理　由】
１．手続の経緯
　本件出願は、平成１５年１１月２８日に出願した特願２００３−３９９３９８号の一部を平成２１年１月１９日に新たな特許出願としたものであって、平成２３年６月２日付け拒絶理由に対して同年８月８日付けで手続補正がなされたところ、同年９月１日付けで拒絶査定されたものである。
　本件は、上記拒絶査定を不服として平成２３年１２月６日付けで請求された拒絶査定不服審判である。
　
２．本願発明
　本願の特許請求の範囲の請求項１ないし８に係る各発明は、平成２３年８月８日付けの手続補正によって補正された特許請求の範囲、明細書及び図面の記載からみて、上記各請求項にそれぞれ記載されるとおりのものと認められるところ、請求項１に係る発明（以下「本願発明」という。）は次のとおりのものである。
　
［本願発明］（請求項１）
放送局単位で各放送網を構成しているデジタル放送における複数の放送網のデジタル放送信号をそれぞれ受信する受信手段と、
受信された複数の前記放送網それぞれのデジタル放送信号から、予め設定された所定のタイミング毎に、多重化された映像、音声、および各放送網で所定の期間中に放送予定の番組の番組配列情報を含む付加情報の各信号を分離抽出する信号分離手段と、
各デジタル放送信号から分離抽出された前記付加情報に含まれている前記番組配列情報を順次記憶する記憶手段と、
現在時刻と前記記憶手段に記憶されている前記番組配列情報とに基づいて、現在受信指定されているチャンネルの放送網とは異なる指定された放送網において、または現在受信指定されているチャンネルの放送網とは異なる指定された放送網の指定されたチャンネルにおいて、当該現在時刻に放送が予定されている番組の番組情報を含む番組表情報を作成する番組表作成手段と、
前記信号分離手段から供給される前記映像信号と前記音声信号を復号すると共に、前記番組表作成手段が作成した前記番組表情報を復号した前記映像信号に合成して、出力する復号手段と、
を備えることを特徴とするデジタル放送受信装置。
　
３．刊行物発明
　これに対して、原査定の拒絶の理由に引用された特開２００１−１９７３９４号公報（以下「刊行物」という。）には、図面と共に次の記載がある。
　
（刊行物の記載）
「【０００１】
【発明の属する技術分野】本発明は、デジタル放送受信機及びデジタル放送サービス方式に関し、特に、複数の伝送方式のデジタル放送サービスを受信可能とする受信機における番組ガイド表示および、特定受信者向け番組を受信側で識別可能とする放送サービス方式に関する。」
　
「【０００４】このように、ＣＳ、ＢＳ、地上、ケーブル放送が全てデジタル方式に移行された場合、1台の受信機において複数の放送サービスを受信できることが望まれる。このことは、複数の放送サービスそれぞれに対応する受信機を購入する必要が無く、視聴者にとって大変有意義なことである。また、上記の放送サービスは、変調方式や誤り訂正方式などの伝送路符号化技術は違うものの、画像圧縮技術や音声圧縮技術などの情報源符号化技術（情報圧縮技術）は共通化されているため、複数の放送サービスの受信を対応とすることで、受信機の回路構成要素も共通化が図れる部分が多々あり、複数放送サービスそれぞれの受信機を購入する場合に比べ、低価格化が実現される。」
　
「【００１５】一方、上記公報における各デジタル放送サービスには、映像／音声データ情報と同時に付加データ情報であるＳＩ（Service Information：番組配列情報）も送信されている。例えば、現状サービスが行われているＣＳデジタル放送においてＳＩは、プラットフォーム事業者が一括管理をして生成および送出をしている。このため、あるトランスポンダで全ての番組ガイド情報を送信しており、そのトランスポンダを受信することで、ＣＳデジタル放送全ての番組ガイド情報を得ることが可能である。
【００１６】このようにＣＳデジタル放送では、ある１つのトランスポンダのＴＳ（Transport Stream）に、全サービスなどに関する情報をＳＩとして送出するので、安定的に視聴者に対し全サービス情報を提供することができるようになる。
【００１７】ところで、今後検討される放送サービスには、上記ＣＳデジタル放送のようにプラットフォーム事業者が、ＳＩを一括管理して送出するような方式を用いないサービスが実用化される可能性がある。つまり、衛星放送の場合は各トランスポンダの、地上放送の場合は各伝送チャンネルの各ＴＳ（Transport Stream）に、同一内容の全サービスなどに関する情報を同時にＳＩとして送出しない放送サービスである。
【００１８】しかしながら、このような放送方式の放送サービスを上記公報の構成のデジタル放送受信機で受信する場合、受信している伝送チャンネルの番組ガイド情報（または、一部の限られた放送局の番組ガイド情報）のみしか取得・表示できず、使用者の使い勝手が悪くなるという、第３の課題がある。
【００１９】本発明の第３の目的は、上記の第３の課題を解決し、全ての番組ガイド情報を全ての伝送チャンネルで送出する放送方式が実施されていない放送サービスを受信する受信機において、全ての伝送チャンネルの番組ガイド情報を表示することのできる、デジタル放送受信機を提供することである。」
　
「【００２７】図１において、図示しない放送サービスＡの受信用アンテナからの受信信号Ａ１００ａは、放送サービスＡ用チューナ１０１ａに入力される。放送サービスＡ用チューナ１０１ａは、図示しないリモコン等により放送サービスＡ、放送サービスＢの中から放送サービスＡの番組が選択される場合、その選択された番組を選局、検波処理を施し、処理後の出力は、放送サービスＡ用伝送路復号化部１０２ａに供給される。放送サービスＡ用伝送路復号化部１０２ａは、デジタル復調及び、誤り訂正処理を施し、処理後の出力は、２入力２出力の選択部１０３の入力端Ａへ供給される。
【００２８】一方、図示しない放送サービスＢの受信用アンテナからの受信信号Ｂ１００ｂは、放送サービスＢ用チューナ１０１ｂに入力される。放送サービスＢ用チューナ１０１ｂは、図示しないリモコン等により放送サービスＡ、放送サービスＢのうちから放送サービスＢの番組が選択される場合、その選択された番組を選局、検波処理を施し、処理後の出力は、放送サービスＢ用伝送路復号化部１０２ｂに供給される。放送サービスＢ用伝送路復号化部１０２ｂは、デジタル復調及び、誤り訂正処理を施し、処理後の出力は、選択部１０３の入力端Ｂに供給される。」
　
「【００３２】選択部１０３は、制御部１１１からの制御信号により切替選択動作を行うもので、具体的には、上記２入力の内、使用者が映像／音声の視聴を選択する入力信号を、デスクランブル部１０４に供給するように、映像／音声の視聴を選択しない入力信号を、付加データ分離部１０６に供給するように制御される。」
　
「【００３４】デマルチプレクサ部１０５は、選択部１０３からの入力信号に対して、制御部１１１から指定される映像／音声データ情報、番組ガイド情報及び、限定受信情報とへの分離処理を施す。番組ガイド情報、限定受信情報は、制御部１１１の制御によりＲＡＭ（Random Access Memory）部１１４の専用領域に取り込まれ、映像／音声データ情報は、ＭＰＥＧ Ａ／Ｖデコーダ１０７に供給される。
【００３５】一方、付加データ分離部１０６は、選択部１０３からの入力信号に対して、制御部１１１から指定される、番組ガイド情報の分離処理を施す。番組ガイド情報は、制御部１１１の制御によりＲＡＭ部１１４の専用領域に取り込まれる。
【００３６】この付加データの取得は、常時取得データが変化していないかを監視し、変化した場合に取得する。」
　
「【００３８】選択された映像及び、音声データ情報は、ＭＰＥＧ Ａ／Ｖデコーダ１０７でデコード処理を施され、元の復号映像信号及び、復号音声信号１２０に変換される。」
　
「【００４０】ＭＰＥＧ Ａ／Ｖデコーダ１０７でデコード処理が施された復号映像信号は、混合部１１０の一方の入力端に供給される。ＯＳＤ部１０９は、制御部１１１の制御により、ＲＡＭ部１１４から読み出される放送サービスＡまたは、放送サービスＢの番組ガイド情報などから、メニューや番組ガイドを生成して混合部１１０の他方の入力端に供給する。混合部１１０は、復号映像信号にＯＳＤ部１０９から供給される信号を重ねて出力するオンスクリーン（ＯＳＤ）表示を施し、映像信号１２１として出力する。尚、ＯＳＤ表示をする必要が無い場合のＯＳＤ部１０９は、混合部１１０の出力が、ＭＰＥＧ Ａ／Ｖデコーダ１０７の出力そのものとなるような信号を出力する。」
　
「【００４４】図２において、「電源」キー２０１は、受信機の電源のオン／オフを行うためにあり、「メニュー」キー２０２は、メニューを表示させるためにあり、「カーソル」キー２０３は、オンスクリーン画面上に表示されたカーソルを上下左右方向に移動させるためにあり、その真ん中にある「セレクト」キー２０４は、番組ガイド上で番組を選択したり、メニュー表示中の項目を選択・決定するためにあり、「テン」キー２０５は、チャンネル番号をダイレクトに入力して選局するためにある。以上のキーにさらに、「ＥＰＧ（Electronic Program Guide）」キーが通常設けられているが、本実施の形態では、この「ＥＰＧ」キーを複数放送サービス分設けた。つまり、「ＥＰＧ１」キー２０６及び、「ＥＰＧ２」キー２０７である。例えば、「ＥＰＧ１」キー２０６は、上記図１における放送サービスＡの番組ガイド表示を、「ＥＰＧ２」キー２０７は、放送サービスＢの番組ガイド表示を行うためにある。」
　
「【００４６】このようなリモコン２００ａの使用により、例えば、放送サービスＡ及び、放送サービスＢどちらの放送サービスの番組の映像を復号表示している状態からにおいても、「ＥＰＧ１」キー２０６を押すと、放送サービスの映像表示上にＯＳＤ表示により放送サービスＡの番組ガイドが表示される。また、「ＥＰＧ２」キー２０７を押すと、放送サービスの映像表示上にＯＳＤ表示により放送サービスＢの番組ガイドが表示されるようになる。
【００４７】このようにして、複数放送サービス内のどの放送サービスを受信視聴していても、その視聴画面上に複数放送サービスそれぞれの最新の番組ガイドをＯＳＤ表示することができる。このため、例えば、使用者が現在視聴している放送サービスＡの番組を見ながら、その映像上に放送サービスＡ或いは、放送サービスＢの番組ガイドを重ね合わせて表示し、次に見る番組を探す操作を行うことができる。
【００４８】さらに、本実施の形態の番組ガイドをより使い易いものとするために、例えば、図３に示すように、より新聞のテレビ覧を意識して、「番組名」、「簡単な内容」、「出演者」などの情報を記載すると良い。図３（ａ）に示すように、横方向は、チャンネル（放送局）別に横読みができるように、縦方向は、時間枠単位に縦読みができる構成とする。図３（ａ）におけるチャンネルＣの21:00〜22:00における太枠網掛は、上記リモコン２００ａにおける「カーソル」キー２０３を操作することにより上下左右に移動する。そして、希望の番組に太枠網掛を持っていき、上記リモコン２００ａにおける「セレクト」キー２０４を押すことで、現在時刻の時刻範囲内の番組を選択した場合は、番組選局／表示を行い、現在時刻以外（未来）の時刻範囲内の番組を選択した場合は、例えば、図示しないが、予約するかどうかの確認メッセージなどが出て、予約を行うことができるようになる。また、図３（ａ）の太枠網掛の位置で、「カーソル」キー２０３を用いて右矢印キーを１回押すと、図３（ｂ）に示すように、右横方向に太枠網掛が移動して、図３（ａ）の画面上に表示されていなかった情報、つまりチャンネルＤの情報が表示されるようになる。つまり、このようにチャンネル（放送局）別に横読みができる。さらに、図３（ｂ）の太枠網掛の位置で、「カーソル」キー２０３を用いて下矢印キーを１回押すと、図３（ｃ）に示すように、縦下方向に太枠網掛が移動し、図３（ｂ）の画面上に表示されていなかった情報、つまり22:00〜23:00の情報が表示されるようになる。つまり、時間枠単位に縦読みができる。尚、本表示においてカーソル表示について太枠網掛で示したが、色を変えて表示するなり、ハイライト表示するなり、指定個所がわかればどのような表示方法でも良い。」
　
「【００５０】尚、上記説明における付加データ分離部１０６の動作は、常時付加データの変化を監視し、変化した場合に取得しデータの更新を行うとしたが、例えば、送信側において付加データの送付間隔がある一定間隔で送付されている場合においては、常時監視するのではなく、送信側における付加データ情報の送付間隔で監視し、変化した場合に取得してデータの更新を行うことでも良い。このようにすることで、映像／音声を復号していない、チューナ、伝送路複合化部、付加データ分離部１０６の各ブロックの電源をこまめにオン／オフすることができ、受信機の低消費電力化が図れるようになる。また、上記のように、送信側において付加データの送付間隔がある一定間隔で送付されていない場合においても、使用者の使い勝手が悪くならない程度に、ある周期間隔で監視し、変化した場合に取得してデータの更新を行うことでも、受信機の低消費電力化が図れるようになる。」
　
「【００５２】さらに、本実施の形態の構成においては、簡単のため、放送サービスＡと放送サービスＢの２サービスの複数放送サービスを受信する構成だったが、例えば、放送サービスを１サービス追加して放送サービスを３サービス受信可能としても同様なことが実現可能である。ただし、この時、選択部１０３を３入力３出力に変更し、選択部１０３に対して追加された入力部にチューナ、伝送路複合化部を、追加された出力部に付加データ復号部を１系統分追加することで容易に実現可能であることは言うまでもない。さらに、上記リモコン２００ａに追加分の放送サービスの番組ガイドを表示するための「ＥＰＧ３」キーを追加して設けるなどして対応させることとなる。」
（刊行物の記載、以上）
　
　上記刊行物の段落【０００１】【０００４】【００１５】ないし【００１９】の記載によれば、複数の伝送方式のデジタル放送サービス（ＣＳ、ＢＳ、地上、ケーブル放送）を受信可能とする受信機であって、ＣＳデジタル放送では、付加データ情報ＳＩ（番組ガイド情報が含まれる）を一括管理して送出する方式であるが、地上放送の場合は、各伝送チャンネルにおいて全ての番組ガイド情報を付加データ情報ＳＩとして送出しないので、受信している伝送チャンネルの番組ガイド情報のみしか取得・表示できないという課題を解決して、全ての伝送チャンネルの番組ガイド情報を表示することのできる、デジタル放送受信機が記載されているといえる。
　
　上記刊行物の段落【００２７】【００２８】の記載によれば、上記デジタル放送受信機は、放送サービスＡと放送サービスＢとを受信する放送サービスＡ用チューナ１０１ａと放送サービスＢ用チューナ１０１ｂとを備えている。
　
　上記刊行物の段落【００３２】【００３４】【００３５】【００３６】【００５０】の記載によれば、視聴を選択する入力信号に対して、デマルチプレクサ部１０５は、映像／音声データ情報及び番組ガイド情報を分離処理し、番組ガイド情報は、ＲＡＭ部１１４の専用領域に取り込まれ、一方、付加データ分離部１０６は、視聴を選択しない入力信号に対して、番組ガイド情報を分離処理し、番組ガイド情報は、ＲＡＭ部１１４の専用領域に取り込まれる。（データが）変化したかどうかは分離した情報の変化を調べると認められるから、監視する際に分離処理がなされ、（データが）変化した場合にデータの更新を行うと認められる。そして、「送信側において付加データの送付間隔がある一定間隔で送付されている場合においては、常時監視するのではなく、送信側における付加データ情報の送付間隔で監視し」（【００５０】）とあって、監視は「送付間隔で」なされるから、分離処理は「送付間隔で」なされると認められる。したがって、付加データ分離部１０６は、視聴を選択しない入力信号に対して、番組ガイド情報を「送付間隔で」分離処理し、（データが）変化した場合にデータの更新を行うものと認められる。
　
　上記刊行物の段落【００３８】【００４０】の記載によれば、ＭＰＥＧ Ａ／Ｖデコーダ１０７は、選択された映像及び音声データ情報をデコード処理して復号映像信号、復号音声信号とすること、ＯＳＤ部１０９は、ＲＡＭ部１１４から読み出される放送サービスＡまたは、放送サービスＢの番組ガイド情報などから、メニューや番組ガイドを生成すること、及び、混合部１１０は、復号映像信号にメニューや番組ガイドを重ねて出力するオンスクリーン（ＯＳＤ）表示を施し、映像信号１２１として出力することが記載されている。
　
　上記刊行物の段落【００４４】【００４６】【００４７】の記載によれば、使用者が現在視聴している放送サービスＡの番組を見ながら、放送サービスＡの番組ガイド表示を行うために「ＥＰＧ１」キー２０６を押すと、放送サービスＡの番組ガイドがＯＳＤ表示され、放送サービスＢの番組ガイド表示を行うために「ＥＰＧ２」キー２０７を押すと、放送サービスＢの番組ガイドがＯＳＤ表示されることが記載されている。
　
　上記刊行物の段落【００４８】の記載によれば、番組ガイドについて、横方向は、チャンネル（放送局）別に横読みができるように、縦方向は、時間枠単位に縦読みができる構成であって、現在時刻の時刻範囲内の番組を選択した場合は、番組選局／表示を行い、現在時刻以外（未来）の時刻範囲内の番組を選択した場合は、予約を行うことが記載されている。
　
　上記刊行物の段落【００５２】の記載によれば、放送サービスＡと放送サービスＢに、１サービス追加して、放送サービスを３サービス受信可能とするために、追加された放送サービス用チューナを設けることが記載されている。
　
　このようであるから、刊行物には、次のとおりの発明（以下「刊行物発明」という。）が記載されていると認められる。
　
［刊行物発明］
　複数の伝送方式のデジタル放送サービス（ＣＳ、ＢＳ、地上、ケーブル放送）を受信可能とし、全ての伝送チャンネルの番組ガイド情報を表示するデジタル放送受信機であって、
　放送サービスＡ用チューナ１０１ａと、放送サービスＢ用チューナ１０１ｂと、
　視聴を選択する入力信号に対して、映像／音声データ情報及び番組ガイド情報を分離処理するデマルチプレクサ部１０５と、視聴を選択しない入力信号に対して、番組ガイド情報を「送付間隔で」分離処理し、（データが）変化した場合にデータの更新を行う付加データ分離部１０６と、
　デマルチプレクサ部１０５と付加データ分離部１０６とにおいて、それぞれ分離処理された番組ガイド情報を取り込むＲＡＭ部１１４と、
　ＲＡＭ部１１４から読み出される放送サービスＡ、又は、放送サービスＢの番組ガイド情報から番組ガイドを生成するＯＳＤ部１０９と、
　選択された映像及び音声データ情報をデコード処理して復号映像信号及び復号音声信号とするＭＰＥＧ Ａ／Ｖデコーダ１０７と、
　復号映像信号に番組ガイドを重ねて出力するオンスクリーン（ＯＳＤ）表示を施す混合部１１０と、
　使用者が現在視聴している放送サービスＡの番組を見ながら、放送サービスＢの番組ガイド表示を行うために「ＥＰＧ２」キー２０７を押すと、放送サービスＢの番組ガイドがＯＳＤ表示され、
　番組ガイドの表示は、横方向にチャンネル（放送局）別、縦方向に時間枠単位の構成であって、現在時刻の時刻範囲内の番組と、現在時刻以外（未来）の時刻範囲内の番組とで構成され、
　放送サービスＡと放送サービスＢに、１サービス追加して、放送サービスを３サービス受信可能とするために、追加された放送サービス用チューナを設けるデジタル放送受信機。
　
４．対比
　本願発明は上記「２．本願発明」に記載のとおりのものであるところ、番組表作成手段に関して、「現在時刻と前記記憶手段に記憶されている前記番組配列情報とに基づいて、現在受信指定されているチャンネルの放送網とは異なる指定された放送網において、または現在受信指定されているチャンネルの放送網とは異なる指定された放送網の指定されたチャンネルにおいて、」と特定されており、いずれにおいて番組表が作成されるかの構成として
　「現在時刻と前記記憶手段に記憶されている前記番組配列情報とに基づいて、現在受信指定されているチャンネルの放送網とは異なる指定された放送網において、」
とする発明（以下、「本願第１発明」ともいう）と、
　「（または）現在受信指定されているチャンネルの放送網とは異なる指定された放送網の指定されたチャンネルにおいて、」
とする発明（以下、「本願第２発明」ともいう）との２つの発明を含むものと認められる。
　本願第１発明は次のとおりである。
　
［本願第１発明］
放送局単位で各放送網を構成しているデジタル放送における複数の放送網のデジタル放送信号をそれぞれ受信する受信手段と、
受信された複数の前記放送網それぞれのデジタル放送信号から、予め設定された所定のタイミング毎に、多重化された映像、音声、および各放送網で所定の期間中に放送予定の番組の番組配列情報を含む付加情報の各信号を分離抽出する信号分離手段と、
各デジタル放送信号から分離抽出された前記付加情報に含まれている前記番組配列情報を順次記憶する記憶手段と、
現在時刻と前記記憶手段に記憶されている前記番組配列情報とに基づいて、現在受信指定されているチャンネルの放送網とは異なる指定された放送網において、当該現在時刻に放送が予定されている番組の番組情報を含む番組表情報を作成する番組表作成手段と、
前記信号分離手段から供給される前記映像信号と前記音声信号を復号すると共に、前記番組表作成手段が作成した前記番組表情報を復号した前記映像信号に合成して、出力する復号手段と、
を備えることを特徴とするデジタル放送受信装置。
　
　本願第１発明と刊行物発明とを対比する。
（１）「放送局単位で各放送網を構成しているデジタル放送における複数の放送網のデジタル放送信号をそれぞれ受信する受信手段」
　
　本件出願明細書の段落【０００５】には、放送網（以降、ネットワークと称す）とされ、段落【０００７】ないし【０００９】から、ネットワーク（放送網）は、受信することで番組表を作成できる範囲の放送であり、ＢＳデジタル放送、ＣＳデジタル放送、地上デジタル放送のそれぞれの放送局がそのようなネットワークであるとされている。すなわち、本願第１発明における「放送網」（ネットワーク）とは、受信することで番組表を作成できる範囲の放送のことであり、逆に、その放送を受信する時、他の放送網（ネットワーク）の番組表を作成できない放送であると認められる。そして、本願第１発明は、そのような放送が「複数」あると特定するものと認められる。
　また、地上デジタル放送においては、地上デジタル放送のそれぞれの放送局がそのようなネットワークであるとされており、そのことを本願第１発明は「放送局単位で各放送網を構成しているデジタル放送」というものと認められる。
　
　刊行物発明において、各放送サービス（放送サービスＡ、放送サービスＢ、追加の放送サービス）は、それぞれのサービスの放送を受信するとそれぞれのサービスの放送自体の番組表を作成できるが、他の放送の番組表を作成できないと認められるから、刊行物発明の放送サービスは本願第１発明の放送網ということができるといえる。
　そして、刊行物発明は、そのようなサービスを複数（Ａ、Ｂ、追加）それぞれのチューナ（１０１ａ、１０２ｂ、追加チューナ）で受信するから、刊行物発明は「複数の放送網のデジタル放送信号をそれぞれ受信する受信手段」を備えるといえる。
　さらに、刊行物では、刊行物記載の発明を適用する対象として「地上放送の場合は各伝送チャンネルの各ＴＳ（Transport Stream）に、同一内容の全サービスなどに関する情報を同時にＳＩとして送出しない放送サービスである。」（【００１７】）と記載されており、刊行物発明の放送サービスとして、「各伝送チャンネルの各ＴＳ（Transport Stream）に、同一内容の全サービスなどに関する情報を同時にＳＩとして送出しない」「地上放送」を認めることができ、これは、本願第１発明の「放送局単位で各放送網を構成しているデジタル放送」といいうるものである。
　したがって、本願第１発明と刊行物発明とは「放送局単位で各放送網を構成しているデジタル放送における複数の放送網のデジタル放送信号をそれぞれ受信する受信手段」を備える点で一致する。
　
（２）「受信された複数の前記放送網それぞれのデジタル放送信号から、予め設定された所定のタイミング毎に、多重化された映像、音声、および各放送網で所定の期間中に放送予定の番組の番組配列情報を含む付加情報の各信号を分離抽出する信号分離手段」
　
　本件出願明細書の段落【０００２】には、番組配列情報（Event Information Table（以降、EITと称す）present/following）と記載され、段落【００１８】には、EIT（schedule）を含む付加情報と記載され、段落【００２４】には、多重化された付加情報を分離すると記載されている。
　刊行物の段落【００１５】には、「映像／音声データ情報と同時に付加データ情報であるＳＩ（Service Information：番組配列情報）も送信されている。」とあり、また、ＳＩにＥＩＴが含まれることが普通に知られていることであって、このＥＩＴを意識してＳＩを（Service Information：番組配列情報）と記載していると理解できるから、刊行物発明における「番組ガイド情報が含まれる付加データ」すなわちＳＩは、本願第１発明における「番組配列情報を含む付加情報」に相当するといえ、また、刊行物発明における「番組ガイド情報」の分離は、ＳＩを分離し、そこからＥＩＴを分離することで行われると認められる。
　
　刊行物発明は、デマルチプレクサ部１０５と付加データ分離部１０６とで番組ガイド情報を分離しており、これらにより、映像／音声データ情報及び番組ガイド情報が分離されるから、刊行物発明は「受信された複数の前記放送網それぞれのデジタル放送信号から、多重化された映像、音声、および各放送網で所定の期間中に放送予定の番組の番組配列情報を含む付加情報の各信号を分離抽出する信号分離手段」を備えるといえる。
　そして、付加データ分離部１０６において「送付間隔で」分離処理がなされ、この「送付間隔」は「送信側において付加データの送付間隔がある一定間隔で送付されている場合」の「一定間隔」であって「予め設定された所定のタイミング」といいうるから、付加データ分離部１０６において、刊行物発明における分離処理は「予め設定された所定のタイミング毎に」なされるということができる。
　しかしながら、刊行物発明のデマルチプレクサ部１０５では、映像／音声データ情報及び番組ガイド情報を分離処理しており、映像／音声の視聴は当然に連続して行われるから、デマルチプレクサ部１０５での分離処理は連続して行われると認められ、「送付間隔で」なされるものではない。
　
　本件出願明細書の段落【００２４】には、「番組表処理部２は、各放送波に含まれていた付加情報の信号からEIT（schedule）を抽出し、メモリ７またはフラッシュメモリ８に記録する（ステップＳ０１）。ここまでの処理は、デジタル放送受信機１の電源がＯＮになっている間、ユーザが視聴中のネットワーク（チャンネル）に係らず定期的に繰り返し、メモリ７またはフラッシュメモリ８に記録されているEIT（schedule）を最新のものに更新する。」とあり、「定期的に繰り返」されるのは「EIT（schedule）を抽出」である。本願第１発明においても、視聴のための映像、音声の分離は、当然に「定期的に繰り返」されるのではなく、連続して行われると認められる。つまり、視聴のための映像、音声は連続して行われるものの、「番組配列情報を含む付加情報」の分離は、「予め設定された所定のタイミング毎に」なされるものと認められる。
　
　そうすると、
　刊行物発明は「受信された複数の前記放送網それぞれのデジタル放送信号から、多重化された映像、音声、および各放送網で所定の期間中に放送予定の番組の番組配列情報を含む付加情報の各信号を分離抽出する信号分離手段」を備えるといい得、この点で本願第１発明と一致するが、
　本願第１発明が「予め設定された所定のタイミング毎に」分離処理することに対して、刊行物発明はそうでない点で相違する。
　
（３）「各デジタル放送信号から分離抽出された前記付加情報に含まれている前記番組配列情報を順次記憶する記憶手段」
　
　刊行物発明における「ＲＡＭ部１１４」は、「分離処理された番組ガイド情報を取り込む」から、「各デジタル放送信号から分離抽出された前記付加情報に含まれている前記番組配列情報を順次記憶する記憶手段」といい得るといえ、この点で本願第１発明と刊行物発明とは一致する。
　
（４）「現在時刻と前記記憶手段に記憶されている前記番組配列情報とに基づいて、現在受信指定されているチャンネルの放送網とは異なる指定された放送網において、当該現在時刻に放送が予定されている番組の番組情報を含む番組表情報を作成する番組表作成手段」
　
　刊行物発明の「ＯＳＤ部１０９」は、ＲＡＭ部１１４から読み出される放送サービスＡ、又は、放送サービスＢの番組ガイド情報から番組ガイド（番組表情報）を生成（作成）するものであって、放送サービスＡの番組を見ながら、放送サービスＢの番組ガイド表示を行うために「ＥＰＧ２」キー２０７を押すと、放送サービスＢの番組ガイドがＯＳＤ表示され、この番組ガイドの表示は、現在時刻の時刻範囲内の番組と、現在時刻以外（未来）の時刻範囲内の番組とで構成されている。
　この「ＯＳＤ部１０９」は番組ガイドを作成しており、「番組表作成手段」といえ、ＲＡＭ部１１４から読み出される放送サービスＡ、又は、放送サービスＢの番組ガイド情報から番組ガイド（番組表情報）を生成（作成）するから、「前記記憶手段に記憶されている前記番組配列情報とに基づいて」作成するといえる。
　「この番組ガイドの表示は、現在時刻の時刻範囲内の番組と、現在時刻以外（未来）の時刻範囲内の番組とで構成されている」から「当該現在時刻に放送が予定されている番組の番組情報を含む番組表情報を作成する」といえる。
　「放送サービスＡの番組を見ながら、放送サービスＢの番組ガイド表示を行うために「ＥＰＧ２」キー２０７を押すと、放送サービスＢの番組ガイドがＯＳＤ表示され」るから、「現在受信指定されているチャンネルの放送網とは異なる指定された放送網において」番組表を作成するといえる。
　そうであるから、刊行物発明の「ＯＳＤ部１０９」は、「前記記憶手段に記憶されている前記番組配列情報に基づいて、現在受信指定されているチャンネルの放送網とは異なる指定された放送網において、当該現在時刻に放送が予定されている番組の番組情報を含む番組表情報を作成する番組表作成手段」といいうる。
　しかしながら、刊行物発明の「ＯＳＤ部１０９」は「現在時刻と前記記憶手段に記憶されている前記番組配列情報とに基づいて、」番組表作成を行うものではない。
　したがって、本願第１発明と刊行物発明とは「前記記憶手段に記憶されている前記番組配列情報に基づいて、現在受信指定されているチャンネルの放送網とは異なる指定された放送網において、当該現在時刻に放送が予定されている番組の番組情報を含む番組表情報を作成する番組表作成手段」を備える点で一致し、
　番組表作成を、本願第１発明では「現在時刻と前記記憶手段に記憶されている前記番組配列情報とに基づいて」行うことに対し、刊行物発明はそうでない点で相違する。
　
（５）「前記信号分離手段から供給される前記映像信号と前記音声信号を復号すると共に、前記番組表作成手段が作成した前記番組表情報を復号した前記映像信号に合成して、出力する復号手段」
　
　本件出願明細書の段落【００１９】には、デコーダ４は、ＤＥＭＵＸ３から供給される映像信号と音声信号を復号し、さらに番組表処理部２からの番組表情報を復号した映像信号に合成して、それぞれ出力すると記載されているとことからみて、本願第１発明における「復号手段」は、具体的には「デコーダ４」を含むものである。
　刊行物発明における「ＭＰＥＧ Ａ／Ｖデコーダ１０７」は、映像信号と音声信号を復号して出力し、刊行物発明における「混合部１１０」は、復号映像信号に番組ガイドを重ねて出力するから、刊行物発明における「ＭＰＥＧ Ａ／Ｖデコーダ１０７」及び「混合部１１０」は、本願第１発明における「復号手段」に相当し、本願第１発明と刊行物発明とは「前記信号分離手段から供給される前記映像信号と前記音声信号を復号すると共に、前記番組表作成手段が作成した前記番組表情報を復号した前記映像信号に合成して、出力する復号手段」を備える点で一致する。
　
（６）一致点相違点
　以上のとおりであるから、本願第１発明と刊行物発明との一致点、相違点は次のとおりであると認められる。
　
〈一致点〉
放送局単位で各放送網を構成しているデジタル放送における複数の放送網のデジタル放送信号をそれぞれ受信する受信手段と、
受信された複数の前記放送網それぞれのデジタル放送信号から、多重化された映像、音声、および各放送網で所定の期間中に放送予定の番組の番組配列情報を含む付加情報の各信号を分離抽出する信号分離手段と、
各デジタル放送信号から分離抽出された前記付加情報に含まれている前記番組配列情報を順次記憶する記憶手段と、
前記記憶手段に記憶されている前記番組配列情報に基づいて、現在受信指定されているチャンネルの放送網とは異なる指定された放送網において、当該現在時刻に放送が予定されている番組の番組情報を含む番組表情報を作成する番組表作成手段と、
前記信号分離手段から供給される前記映像信号と前記音声信号を復号すると共に、前記番組表作成手段が作成した前記番組表情報を復号した前記映像信号に合成して、出力する復号手段と、
を備えることを特徴とするデジタル放送受信装置。
　
〈相違点〉
（相違点１）
　本願第１発明が「予め設定された所定のタイミング毎に」分離処理することに対して、刊行物発明はそうでない点。
　
（相違点２）
　番組表作成を、本願第１発明では「現在時刻と前記記憶手段に記憶されている前記番組配列情報とに基づいて」行うことに対し、刊行物発明はそうでない点で相違する。
　
５．判断
（１）相違点１について
　刊行物発明における「付加データ分離部１０６」は、上記したように、分離処理は「予め設定された所定のタイミング毎に」分離処理を行うといえるところ、そのようになすのは、刊行物段落【００５０】に記載されるように「送信側において付加データの送付間隔がある一定間隔で送付されている場合」であるから、デマルチプレクサ部１０５での映像／音声データ情報及び番組ガイド情報の分離処理においても、送信側に対応させて、「付加データ分離部１０６」と同じく、番組ガイド情報の分離処理を「送付間隔で」すなわち「予め設定された所定のタイミング毎に」行うようになすことは当業者が容易に想到できることといえる。
　したがって、本願第１発明の相違点１に係る構成は、当業者が容易に想到できることといえる。
　
（２）相違点２について
　刊行物発明における「ＯＳＤ部１０９」は、現在時刻の時刻と現在時刻以外（未来）の時刻とからなる番組ガイドを生成（作成）しており、現在時刻の時刻の番組ガイドが含まれるのは、「使用者が現在視聴している放送サービスＡの番組を見ながら、放送サービスＢの番組ガイド表示を行うために「ＥＰＧ２」キー２０７を押す」時、その時の番組表を見ようとするためであることは自明であり、過去から蓄積され、未来のものまで含む番組ガイド情報から、使用者が見ようとする現在の番組ガイドを得るために、番組表作成を「現在時刻と前記記憶手段に記憶されている前記番組配列情報とに基づいて」行うようすることは、当業者が容易に想到できることといえる。
　したがって、本願第１発明の相違点２に係る構成は、当業者が容易に想到できることといえる。
　
（３）まとめ
　以上判断したとおり、本願第１発明の相違点に関する構成はそれぞれ当業者が容易に想到できるといえるものである。
　また、その効果についてみても、当業者が予測し得るものである。
　したがって、本願第１発明は刊行物に記載された発明に基づいて当業者が容易に発明をすることができたものである。
　そして、本願発明は本願第１発明を含むことから、本願第２発明に関わらず、刊行物に記載された発明に基づいて当業者が容易に発明をすることができたものである。
　
６．むすび
　以上のとおり、本件出願の請求項１に係る発明は、刊行物に記載された発明に基づいて当業者が容易に発明をすることができたものであるから、特許法第２９条第２項の規定により特許を受けることができない。
　したがって、本件出願は他の請求項に係る発明について特に検討するまでもなく拒絶されるべきものである。
　よって、結論のとおり審決する。